(57)【要約】  低アクティブモードにあるときに第１セル又は第１ネットワークノードから基準情報の送信に関連したタイミング情報を受け取り；及び前記タイミング情報を使用して、第１セル又は第１ネットワークノードからの送信を前記基準情報に対していつ監視するかをコントロールする；ことを含む方法。【選択図】      図５
2015537456.tif 000002
【特許請求の範囲】
【請求項１】
低アクティブモードにあるときに第１セル又は第１ネットワークノードから基準情報の送信に関連したタイミング情報を受け取り；及び
前記タイミング情報を使用して、前記第１セル又は第１ネットワークノードからの送信を前記基準情報に対していつ監視するかをコントロールする；
ことを含む方法。
【請求項２】
前記タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む、請求項１に記載の方法。
【請求項３】
別のセル又は別のネットワークノードに対する前記第１セル又は第１ネットワークノードの相対的なタイミング；グローバルなタイミング基準に対する前記第１セル又は第１ネットワークノードの相対的なタイミング；前記第１セル又は第１ネットワークノードのタイミングに対する相対的なタイミング；の１つ以上を指示する相対的なタイミング情報を受け取ることを含む、請求項１又は２に記載の方法。
【請求項４】
前記第１セル又は第１ネットワークノードが前記低アクティブモードにあるかどうか決定できるモード情報を受け取ることを含む、請求項１から３のいずれかに記載の方法。
【請求項５】
別のセル又は別のネットワークノードから前記情報を受け取ることを含む、請求項１から４のいずれかに記載の方法。
【請求項６】
前記第１セル又は第１ネットワークノードから前記情報を受け取ることを含む、請求項１から４のいずれかに記載の方法。
【請求項７】
ユーザ装置が別のセル又は別のネットワークノードのカバレージエリアに入り；前記第１セル又は第１ネットワークノードがターゲットセルのリストにあり；及び前記ユーザ装置に前記第１セル又は第１ネットワークノードに関連した測定物体が設けられる；のうちの少なくとも１つであるときに、前記情報を受け取ることを含む、請求項１から６のいずれかに記載の方法。
【請求項８】
前記基準情報は、基準信号及び／又は基準チャンネルの少なくとも１つを含む、請求項１から７のいずれかに記載の方法。
【請求項９】
前記低アクティブモードは、休止モードを含む、請求項１から８のいずれかに記載の方法。
【請求項１０】
前記低アクティブモードの第１セルは、マクロセルより小さいセルを含む、請求項１から９のいずれかに記載の方法。
【請求項１１】
タイミング情報をユーザ装置へ送信させ、前記タイミング情報は、低アクティブモードにあるときに第１ネットワークノード又は第１セルからの基準情報の送信に関連したものである方法。
【請求項１２】
前記タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む、請求項１１に記載の方法。
【請求項１３】
相対的なタイミング情報を送信させることを含み、前記相対的なタイミング情報は、別のセルに対する前記第１セル又は第１ネットワークノードの相対的なタイミング；グローバルなタイミング基準に対する前記第１セル又は第１ネットワークノードの相対的なタイミング；前記第１セルのタイミングに対する相対的なタイミング；の１つ以上を指示する、請求項１１又は１２に記載の方法。
【請求項１４】
モード情報を送信させることを含み、前記モード情報は、前記第１セル又は第１ネットワークノードが前記低アクティブモードにあるかどうか決定できる情報である、請求項１１から１３のいずれかに記載の方法。
【請求項１５】
ユーザ装置が別のセルのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を送信させることを含む、請求項１１から１４のいずれかに記載の方法。
【請求項１６】
前記基準情報は、基準信号及び／又は基準チャンネルの少なくとも１つを含む、請求項１１から１５のいずれかに記載の方法。
【請求項１７】
実行時に、請求項１から１６のいずれかに記載の方法を遂行させる実行可能なインストラクションを含むコンピュータプログラム。
【請求項１８】
少なくとも１つのプロセッサと、１つ以上のプログラムのためのコンピュータコードを含む少なくとも１つのメモリと、を備えた装置において、その少なくとも１つのメモリ及びコンピュータコードは、少なくとも１つのプロセッサとで、装置が、少なくとも、低アクティブモードにあるとき第１ネットワークノードから基準情報の送信に関連したタイミング情報を受け取り；そしてそのタイミング情報を使用して、前記第１セル又は第１ネットワークノードからの送信を前記基準情報に対していつ監視するかコントロールする；ようにさせるよう構成された装置。
【請求項１９】
前記タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む、請求項１８に記載の装置。
【請求項２０】
前記少なくとも１つのメモリ及びコンピュータコードは、少なくとも１つのプロセッサとで、装置が、別のセルに対する前記第１セル又は第１ネットワークノードの相対的なタイミング；グローバルなタイミング基準に対する前記第１セル又は第１ネットワークノードの相対的なタイミング；前記第１セルのタイミングに対する相対的なタイミング；の１つ以上を指示する相対的なタイミング情報を受け取るようにさせるよう構成された、請求項１８又は１９に記載の装置。
【請求項２１】
前記少なくとも１つのメモリ及びコンピュータコードは、少なくとも１つのプロセッサとで、装置が、前記第１セル又は第１ネットワークノードが前記低アクティブモードにあるかどうか決定できるモード情報を受け取るようにさせるよう構成された、請求項１８から２０のいずれかに記載の装置。
【請求項２２】
前記少なくとも１つのメモリ及びコンピュータコードは、少なくとも１つのプロセッサとで、装置が、別のセル又はネットワークノードから前記情報を受け取るようにさせるよう構成された、請求項１８から２１のいずれかに記載の装置。
【請求項２３】
前記少なくとも１つのメモリ及びコンピュータコードは、少なくとも１つのプロセッサとで、装置が、前記第１セルから前記情報を受け取るようにさせるよう構成された、請求項１８から２２のいずれかに記載の装置。
【請求項２４】
前記少なくとも１つのメモリ及びコンピュータコードは、少なくとも１つのプロセッサとで、装置が、ユーザ装置が別のセルのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を受け取るようにさせるよう構成された、請求項１８から２３のいずれかに記載の装置。
【請求項２５】
前記基準情報は、基準信号及び／又は基準チャンネルの少なくとも１つを含む、請求項１８から２４のいずれかに記載の装置。
【請求項２６】
前記低アクティブモードは、休止モードを含む、請求項１８から２５のいずれかに記載の装置。
【請求項２７】
前記低アクティブモードの第１セルは、マクロセルより小さいセルを含む、請求項１８から２６のいずれかに記載の装置。
【請求項２８】
少なくとも１つのプロセッサと、１つ以上のプログラムのためのコンピュータコードを含む少なくとも１つのメモリと、を備えた装置において、その少なくとも１つのメモリ及びコンピュータコードは、少なくとも１つのプロセッサとで、装置が、少なくとも、
タイミング情報をユーザ装置へ送信させ、前記タイミング情報は、低アクティブモードにあるときに第１ネットワークノード又は第１セルからの基準情報の送信に関連したものである、装置。
【発明の詳細な説明】
【技術分野】
【０００１】
本発明は、セル又はネットワークノードが低アクティブモードを有する場合に使用するための方法及び装置に関するが、これに限定されない。
【背景技術】
【０００２】
通信システムとは、固定又は移動装置、マシンタイプターミナル、ベースステーションのようなアクセスノード、サーバー、等の２つ以上のノード間で通信セッションを可能にするファシリティと考えられる。通信システム及び互換性のある通信エンティティは、典型的に、システムに関連した種々のエンティティが何を行うことが許され且つそれをどのように達成すべきか規定する所与の規格又は仕様書に従って動作する。例えば、規格、仕様書及びそれに関連したプロトコルは、装置がどのように通信すべきか、通信の種々の観点をどのように具現化すべきか、及びシステムに使用する装置をどのように構成すべきか規定することができる。
【０００３】
ユーザは、適当な通信装置により通信システムにアクセスすることができる。ユーザの通信装置は、しばしばユーザ装置（ＵＥ）又はターミナルとも称される。通信装置には、他の当事者との通信を可能にするための適当な信号受信及び送信構成体が設けられる。典型的に、ユーザ装置のような装置は、スピーチ及びコンテンツデータのような通信を送受信できるようにするために使用される。
【０００４】
通信は、ワイヤレスキャリアを経て搬送することができる。ワイヤレスシステムは、例えば、セルラーネットワークのような公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムでは、通信装置は、アクセスネットワークのベースステーション及び／又は別のユーザ装置のような別の通信装置と通信できるトランシーバステーションをなす。ベースステーションとユーザの通信装置との間の通信の２つの方向は、慣習的に、ダウンリンク及びアップリンクと称されている。ダウンリンク（ＤＬ）は、ベースステーションから通信装置への方向として理解され、そしてアップリンク（ＵＬ）は、通信装置からベースステーションへの方向である。
【発明の概要】
【発明が解決しようとする課題】
【０００５】
キャリアアグリゲーション（ＣＡ）が提案されており、これは、複数のキャリアにわたって無線リソースを同時に使用することにより、ＵＥに関連した帯域巾を拡張できるようにする。大きな全送信帯域巾を形成するために複数のコンポーネントキャリアがアグリゲートされる。
【課題を解決するための手段】
【０００６】
１つの態様によれば、低アクティブモードにあるとき第１ネットワークノード又は第１セルから基準情報の送信に関連したタイミング情報を受け取り；そしてその情報を使用して、前記第１セル又は第１ネットワークノードからの送信を前記基準情報に対していつ監視するかをコントロールする；ことを含む方法が提供される。
【０００７】
第１のネットワークノードは、セルを形成する。第１のネットワークノードは、ベースステーションによって形成される。
【０００８】
監視は、情報を測定し、及び／又は測定値を平均化する。監視は、送信を処理して基準情報を得ることを含む。
【０００９】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００１０】
前記方法は、別のセル又はネットワークノードに対する前記第１セル又は第１ネットワークノードの相対的なタイミング；グローバルなタイミング基準に対する前記第１セル又は第１ネットワークノードの相対的なタイミング；前記第１セル又は第１ネットワークノードのタイミングに対する相対的なタイミング；の１つ以上を指示する相対的なタイミング情報を受け取ることを含む。
【００１１】
前記方法は、前記第１セル又は第１ネットワークノードが前記低アクティブモードにあるかどうか決定できるモード情報を受け取ることを含む。
【００１２】
このモード情報は、第１セル又は第１ネットワークノードが低アクティブモードにあるときを指示する情報、及び／又は第１セル又は第１ネットワークノードが低アクティブモードにないときを指示する情報を含む。ある実施形態では、モード情報は、第１セル又は第１ネットワークノードがそのモードを切り換えるたびに受け取られる。モード情報は、前記モードのスタート及び／又は前記モードの期間を指示する。
【００１３】
モード情報は、前記第１セル又は第１ネットワークノードにより放送されるか、或いは別のセル又はネットワークノードから放送される。第１のセルは、ＳＣｅｌｌであり、別のセルは、ＰＣｅｌｌである。モード情報は、専用のシグナリングを経て受け取られる。専用のシグナリングは、無線リソースコントロールシグナリング又はメディアアクセスコントロールシグナリングを含む。
【００１４】
前記方法は、別のセル又はネットワークノードから前記情報を受け取ることを含む。
【００１５】
前記方法は、前記第１セル又は第１ネットワークノードから前記情報を受け取ることを含む。
【００１６】
前記方法は、ユーザ装置が別のセル又はネットワークノードのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を受け取ることを含む。
【００１７】
基準情報は、基準信号及び／又は基準チャンネルの少なくとも１つを含む。
【００１８】
基準信号及び／又は基準チャンネルは、チャンネル状態情報基準信号；共通基準信号；一次同期信号；及び二次同期信号；のうちの１つ以上を含む。
【００１９】
低アクティブモードは、休止モードを含む。
【００２０】
前記低アクティブモードの第１セルは、マクロセルより小さいセルを含む。
【００２１】
前記方法は、いずれも、装置によって遂行される。装置は、ユーザ装置に形成される。
【００２２】
別の態様によれば、タイミング情報をユーザ装置へ送信させ、前記タイミング情報は、低アクティブモードにあるときに第１ネットワークノード又は第１セルからの基準情報の送信に関連したものである方法が提供される。
【００２３】
第１ネットワークノードは、セルを形成する。第１ネットワークノードは、ベースステーションにより形成される。
【００２４】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００２５】
前記方法は、相対的なタイミング情報を送信させることを含み、前記相対的なタイミング情報は、別のセル又はネットワークノードに対する前記第１セル又は第１ネットワークノードの相対的なタイミング；グローバルなタイミング基準に対する前記第１セル又は第１ネットワークノードの相対的なタイミング；前記第１セル又は第１ネットワークノードのタイミングに対する相対的なタイミング；の１つ以上を指示する。
【００２６】
前記方法は、モード情報を送信させることを含み、前記モード情報は、前記第１セル又は第１ネットワークノードが前記低アクティブモードにあるかどうか決定できる情報である。
【００２７】
このモード情報は、第１セル又は第１ネットワークノードが低アクティブモードにあるときを示す情報、及び／又は第１セル又は第１ネットワークノードが低アクティブモードにないときを示す情報を含む。ある実施形態では、モード情報は、第１セル又は第１ネットワークノードがそのモードを切り換えるたびに与えられる。又、モード情報は、前記モードのスタート及び／又は前記モードの期間を指示する。
【００２８】
前記方法は、別のセル又はネットワークノードから前記情報を送信させることを含む。
【００２９】
前記方法は、前記第１セル又は第１ネットワークノードから前記情報を送信させることを含む。
【００３０】
前記方法は、ユーザ装置が別のセル又はネットワークノードのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を送信させることを含む。
【００３１】
基準情報は、基準信号及び／又は基準チャンネルの少なくとも１つを含む。
【００３２】
基準信号及び／又は基準チャンネルは、チャンネル状態情報基準信号；共通基準信号；一次同期信号；及び二次同期信号；のうちの１つ以上を含む。
【００３３】
低アクティブモードは、休止モードを含む。
【００３４】
前記低アクティブモードの第１セルは、マクロセルより小さなセルを含む。
【００３５】
前記方法は、装置により遂行される。装置は、ネットワークノードに形成される。
【００３６】
別の態様によれば、少なくとも１つのプロセッサと、１つ以上のプログラムのためのコンピュータコードを含む少なくとも１つのメモリと、を備えた装置において、その少なくとも１つのメモリ及びコンピュータコードは、少なくとも１つのプロセッサとで、装置が、少なくとも、低アクティブモードにあるとき第１ネットワークノード又は第１セルから基準情報の送信に関連したタイミング情報を受け取り；そしてそのタイミング情報を使用して、前記第１セル又は第１ネットワークノードからの送信を前記基準情報に対していつ監視するかコントロールする；ようにさせるよう構成された装置が提供される。
【００３７】
第１のネットワークノードは、セルを形成する。第１のネットワークノードは、ベースステーションによって形成される。
【００３８】
少なくとも１つのメモリ及びコンピュータコードは、少なくとも１つのプロセッサとで、装置が、前記基準情報を測定し及び／又は測定値を平均化するようにさせるよう構成される。又、少なくとも１つのメモリ及びコンピュータコードは、少なくとも１つのプロセッサとで、装置が、送信を処理して、基準情報を得るようにさせるよう構成される。
【００３９】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００４０】
少なくとも１つのメモリ及びコンピュータコードは、少なくとも１つのプロセッサとで、装置が、別のセル又はネットワークノードに対する前記第１セル又は第１ネットワークノードの相対的なタイミング；グローバルなタイミング基準に対する前記第１セル又は第１ネットワークノードの相対的なタイミング；前記第１セルのタイミングに対する相対的なタイミング；の１つ以上を指示する相対的なタイミング情報を受け取るようにさせるよう構成される。
【００４１】
少なくとも１つのメモリ及びコンピュータコードは、少なくとも１つのプロセッサとで、装置が、前記第１セル又は第１ネットワークノードが前記低アクティブモードにあるかどうか決定できるモード情報を受け取るようにさせるよう構成される。
【００４２】
このモード情報は、第１セル又は第１ネットワークノードが低アクティブモードにあるときを指示する情報、及び／又は第１セル又は第１ネットワークノードが低アクティブモードにないときを指示する情報を含む。ある実施形態では、モード情報は、第１セル又は第１ネットワークノードがそのモードを切り換えるたびに受け取られる。モード情報は、前記モードのスタート及び／又は前記モードの期間を指示する。
【００４３】
モード情報は、前記第１セル又は第１ネットワークノードにより放送されるか、或いは別のセル又はネットワークノードから放送される。第１のセルは、ＳＣｅｌｌであり、別のセルは、ＰＣｅｌｌである。モード情報は、専用のシグナリングを経て受け取られる。専用のシグナリングは、無線リソースコントロールシグナリング又はメディアアクセスコントロールシグナリングを含む。
【００４４】
少なくとも１つのメモリ及びコンピュータコードは、少なくとも１つのプロセッサとで、装置が、別のセル又はネットワークノードから前記情報を受け取るようにさせるよう構成される。
【００４５】
少なくとも１つのメモリ及びコンピュータコードは、少なくとも１つのプロセッサとで、装置が、前記第１セル又は第１ネットワークノードから前記情報を受け取るようにさせるよう構成される。
【００４６】
少なくとも１つのメモリ及びコンピュータコードは、少なくとも１つのプロセッサとで、装置が、ユーザ装置が別のセルのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を受け取るようにさせるよう構成される。
【００４７】
基準情報は、基準信号及び／又は基準チャンネルの少なくとも１つを含む。
【００４８】
基準信号及び／又は基準チャンネルは、チャンネル状態情報基準信号；共通基準信号；一次同期信号；及び二次同期信号；のうちの１つ以上を含む。
【００４９】
低アクティブモードは、休止モードを含む。
【００５０】
前記低アクティブモードの第１セルは、マクロセルより小さいセルを含む。
【００５１】
別の態様によれば、低アクティブモードにあるとき第１ネットワークノード又は第１セルから基準情報の送信に関連したタイミング情報を受け取るための手段と；そのタイミング情報を使用して、前記第１セル又は第１ネットワークノードからの送信を前記基準情報に対していつ監視するかコントロールするための手段と；を備えた装置が提供される。
【００５２】
第１ネットワークノードは、セルを形成する。第１ネットワークノードは、ベースステーションにより形成される。
【００５３】
前記使用する手段は、情報を測定し及び／又は測定値を平均化する。前記使用する手段は、送信を処理して基準情報を得る。
【００５４】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００５５】
装置は、別のセル又はネットワークノードに対する前記第１セル又は第１ネットワークノードの相対的なタイミング；グローバルなタイミング基準に対する前記第１セル又は第１ネットワークノードの相対的なタイミング；前記第１セル又は第１ネットワークノードのタイミングに対する相対的なタイミング；の１つ以上を指示する相対的なタイミング情報を受け取るための受信手段を備えている。
【００５６】
又、装置は、前記第１セル又は第１ネットワークノードが前記低アクティブモードにあるかどうか決定できるモード情報を受け取るための受信手段を備えている。
【００５７】
このモード情報は、第１セル又は第１ネットワークノードが低アクティブモードにあるときを指示する情報、及び／又は第１セル又は第１ネットワークノードが低アクティブモードにないときを指示する情報を含む。ある実施形態では、モード情報は、第１セル又は第１ネットワークノードがそのモードを切り換えるたびに受け取られる。モード情報は、前記モードのスタート及び／又は前記モードの期間を指示する。
【００５８】
モード情報は、前記第１セル又は第１ネットワークノードにより放送されるか、或いは別のセル又はネットワークノードから放送される。第１のセルは、ＳＣｅｌｌであり、別のセルは、ＰＣｅｌｌである。モード情報は、専用のシグナリングを経て前記受信手段により受け取られる。専用のシグナリングは、無線リソースコントロールシグナリング又はメディアアクセスコントロールシグナリングを含む。
【００５９】
受信手段は、別のセル又はネットワークノードから前記情報を受け取る。
【００６０】
受信手段は、前記第１セル又は第１ネットワークノードから前記情報を受け取る。
【００６１】
受信手段は、ユーザ装置が別のセル又はネットワークノードのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を受け取る。
【００６２】
基準情報は、基準信号及び／又は基準チャンネルの少なくとも１つを含む。
【００６３】
基準信号及び／又は基準チャンネルは、チャンネル状態情報基準信号；共通基準信号；一次同期信号；及び二次同期信号；のうちの１つ以上を含む。
【００６４】
低アクティブモードは、休止モードを含む。
【００６５】
前記低アクティブモードのセルは、マクロセルより小さいセルを含む。
【００６６】
上述した装置は、ユーザ装置に形成される。
【００６７】
別の態様によれば、少なくとも１つのプロセッサと、１つ以上のプログラムのためのコンピュータコードを含む少なくとも１つのメモリと、を備えた装置において、その少なくとも１つのメモリ及びコンピュータコードは、少なくとも１つのプロセッサとで、装置が、少なくとも、タイミング情報をユーザ装置へ送信させるように構成され、前記タイミング情報は、低アクティブモードにあるときに第１ネットワークノード又は第１セルからの基準情報の送信に関連したものである、装置が提供される。
【００６８】
第１ネットワークノードは、セルである。第１ネットワークノードは、ベースステーションにより形成される。
【００６９】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００７０】
少なくとも１つのメモリ及びコンピュータコードは、少なくとも１つのプロセッサとで、装置が、相対的なタイミング情報を送信させるようにするよう構成され、前記相対的なタイミング情報は、別のセル又は別のネットワークノードに対する前記第１セル又は第１ネットワークノードの相対的なタイミング；グローバルなタイミング基準に対する前記第１セル又は第１ネットワークノードの相対的なタイミング；前記第１セルのタイミングに対する相対的なタイミング；の１つ以上を指示する。
【００７１】
少なくとも１つのメモリ及びコンピュータコードは、少なくとも１つのプロセッサとで、装置が、モード情報を送信させるようにするよう構成され、前記モード情報は、前記第１セル又は第１ネットワークノードが前記低アクティブモードにあるかどうか決定できる情報である。
【００７２】
このモード情報は、第１セル又は第１ネットワークノードが低アクティブモードにあるときを示す情報、及び／又は第１セル又は第１ネットワークノードが低アクティブモードにないときを示す情報を含む。ある実施形態では、モード情報は、第１セル又は第１ネットワークノードがそのモードを切り換えるたびに与えられる。又、モード情報は、前記モードのスタート及び／又は前記モードの期間を指示する。
【００７３】
少なくとも１つのメモリ及びコンピュータコードは、少なくとも１つのプロセッサとで、装置が、別のセル又はネットワークノードから前記情報を送信させるようにするように構成される。
【００７４】
少なくとも１つのメモリ及びコンピュータコードは、少なくとも１つのプロセッサとで、装置が、前記第１セル又は第１ネットワークノードから前記情報を送信させるようにするように構成される。
【００７５】
少なくとも１つのメモリ及びコンピュータコードは、少なくとも１つのプロセッサとで、装置が、ユーザ装置が別のセル又はネットワークノードのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を送信させるようにするよう構成される。
【００７６】
基準情報は、基準信号及び／又は基準チャンネルの少なくとも１つを含む。
【００７７】
基準信号及び／又は基準チャンネルは、チャンネル状態情報基準信号；共通基準信号；一次同期信号；及び二次同期信号；のうちの１つ以上を含む。
【００７８】
低アクティブモードは、休止モードを含む。
【００７９】
前記低アクティブモードのセルは、マクロセルより小さなセルを含む。
【００８０】
別の態様によれば、タイミング情報をユーザ装置へ送信させるための手段を備え、前記タイミング情報は、低アクティブモードにあるときに第１ネットワークノード又は第１セルからの基準情報の送信に関連したものである、装置が提供される。
【００８１】
第１ネットワークノードは、セルを形成する。第１ネットワークノードは、ベースステーションにより形成される。
【００８２】
タイミング情報は、前記基準情報送信の期間を示す情報；前記基準情報送信の周期性に関する情報；基準情報の前記送信のスタートを示すスタート情報；前記基準情報が利用できないときを示す情報；及び前記基準情報が利用できるときを示す情報；のうちの少なくとも１つを含む。
【００８３】
装置は、相対的なタイミング情報を送信させるための手段を備え、前記相対的なタイミング情報は、別のセル又はネットワークノードに対する前記第１セル又は第１ネットワークノードの相対的なタイミング；グローバルなタイミング基準に対する前記第１セル又は第１ネットワークノードの相対的なタイミング；前記第１セルのタイミングに対する相対的なタイミング；の１つ以上を指示する。
【００８４】
装置は、モード情報を送信させるための手段を備え、前記モード情報は、前記第１セル又は第１ネットワークノードが前記低アクティブモードにあるかどうか決定できる情報である。
【００８５】
このモード情報は、第１セル又は第１ネットワークノードが低アクティブモードにあるときを示す情報、及び／又は第１セル又は第１ネットワークノードが低アクティブモードにないときを示す情報を含む。ある実施形態では、モード情報は、第１セル又は第１ネットワークノードがそのモードを切り換えるたびに与えられる。又、モード情報は、前記モードのスタート及び／又は前記モードの期間を指示する。
【００８６】
情報は、別のセル又は別のネットワークノード及び／又は前記第１セル又は第１ネットワークノードから送信される。
【００８７】
前記させるための手段は、ユーザ装置が別のセル又はネットワークノードのカバレージエリアに入り；前記第１セル又は第１ネットワークノードがターゲットセルのリストにあり；及び前記ユーザ装置に前記第１セルに関連した測定物体が設けられる；のうちの少なくとも１つであるときに、前記情報を送信させる。
【００８８】
基準情報は、基準信号及び／又は基準チャンネルの少なくとも１つを含む。
【００８９】
基準信号及び／又は基準チャンネルは、チャンネル状態情報基準信号；共通基準信号；一次同期信号；及び二次同期信号；のうちの１つ以上を含む。
【００９０】
低アクティブモードは、休止モードを含む。
【００９１】
前記低アクティブモードのセルは、マクロセルより小さなセルを含む。
【００９２】
上述した装置は、ネットワークノード又はセルに設けられる。第１セル又は第１ネットワークノード或いはネットワークノード及び／又は別のセル又は別のネットワークノード或いはネットワークノードを伴う異なる態様が提供される。
【００９３】
前記方法を遂行するためのプログラムコード手段を含むコンピュータプログラムも提供される。コンピュータプログラムは、記憶されるか、さもなければ、キャリア媒体により実施される。
【００９４】
任意の態様の任意の特徴を他の態様の他の特徴と結合できることが明らかである。
【００９５】
本発明は、添付図面に示された実施形態を参照して一例として詳細に説明する。
【図面の簡単な説明】
【００９６】
【図１】ベースステーション及び複数の通信装置を備えた通信システムを示す概略図である。
【図２】ある実施形態による移動通信装置の概略図である。
【図３】ある実施形態によるコントロール装置の概略図である。
【図４】休止状態を有するベースステーションのサブフレームタイミングの一例を示す図である。
【図５】一実施形態の方法を示す。
【発明を実施するための形態】
【００９７】
以下、移動通信装置にサービスするワイヤレス又は移動通信システムを参照して幾つかの規範的実施形態を説明する。それらの規範的な実施形態を詳細に説明する前に、ここに述べる実施例の基礎となる技術の理解を助けるため、図１から３を参照して、ワイヤレス通信システム及び移動通信装置の幾つかの一般的な原理を簡単に説明する。
【００９８】
ワイヤレス通信システムでは、移動通信装置又はユーザ装置（ＵＥ）１０２、１０３、１０５に、少なくとも１つのベースステーション或いは同様のワイヤレス送信及び／又は受信ノード又はポイントを経てワイヤレスアクセスが与えられる。図１には、セルラーシステム１００及び１１０の２つの重畳するアクセスシステム又は無線サービスエリアと、ベースステーション１０６、１０７、１１６、１１８及び１２０により形成される３つの小さな無線サービスエリア１１５、１１７及び１１９とが示されている。各移動通信装置及びステーションは、同時にオープンする１つ以上の無線チャンネルを有し、そして２つ以上のソースへ信号を送信し及び／又はそこから信号を受信する。無線サービスエリアの境界又は縁は、図１では説明上概略的に示されているだけであることに注意されたい。又、無線サービスエリアのサイズ及び形状は、図１の形状から著しく変化し得ることも理解されたい。ベースステーションサイトは、１つ以上のセルを形成する。又、ベースステーションは、複数のセクタ、例えば、３つの無線セクタを形成し、各セクタがセル又はセルのサブエリアを形成することもできる。セル内の全てのセクタは、同じベースステーションによりサービスされる。
【００９９】
ベースステーションは、典型的に、ベースステーションの動作及びベースステーションとの通信における移動通信装置の管理を可能にするために少なくとも１つの適当なコントローラ装置によりコントロールされる。図１において、コントロール装置１０８及び１０９は、各マクロレベルベースステーション１０６及び１０７をコントロールするように示されている。ベースステーションのコントロール装置は、他のコントロールエンティティと相互接続される。コントロール装置には、典型的に、メモリ容量及び少なくとも１つのデータプロセッサが設けられる。コントロール装置及び機能は、複数のコントロールユニット間に分散される。あるシステムでは、それに加えて又はそれとは別に、コントロール装置が無線ネットワークコントローラに設けられる。
【０１００】
図１において、ステーション１０６及び１０７は、ゲートウェイ１１２を経て広い通信ネットワーク１１３に接続されて示されている。別のネットワークに接続するために更に別のゲートウェイ機能が与えられてもよい。
【０１０１】
又、小さなステーション１１６、１１８及び１２０は、例えば、個別のゲートウェイ機能により及び／又はマクロレベルステーションのコントローラを経てネットワーク１１３に接続される。例えば、ステーション１１６及び１１８は、ゲートウェイ１１１を経て接続され、一方、ステーション１２０は、コントローラ装置１０８を経て接続される。ある実施形態では、小さなステーションは、設けられない。
【０１０２】
通信装置１０２の部分断面概略図である図２を参照して、考えられる移動通信装置について以下に詳細に説明する。そのような通信装置は、しばしば、ユーザ装置（ＵＥ）又はターミナルと称される。適当な移動通信装置は、無線信号を送信及び受信できる任意の装置によって形成される。非限定例として、移動電話又は「スマートホン」として知られているもの、ワイヤレスインターフェイスカード又は他のワイヤレスインターフェイスファシリティが設けられたコンピュータ、ワイヤレス通信能力が設けられたパーソナルデータアシスタント（ＰＤＡ）、又はそれらの組み合わせ、等が含まれる。移動通信装置は、例えば、ボイス、電子メール（ｅｍａｉｌ）、テキストメッセージ、マルチメディア、等の通信を搬送するためのデータの通信を与える。従って、ユーザには、自身の通信装置を経て多数のサービスがオファーされ提供される。それらサービスの非限定例は、両方向又は多方向コール、データ通信又はマルチメディアサービス、或いは単に、インターネットのようなデータ通信ネットワークシステムへのアクセスを含む。又、ユーザには、ブロードキャスト又はマルチキャストデータも与えられる。コンテンツの非限定例は、ダウンロード、テレビ及びラジオ番組、ビデオ、広告、種々の警報及び他の情報を含む。
【０１０３】
移動装置１０２は、エアインターフェイス２０７を越えて受信のための適当な装置を経て信号を受信し、そして無線信号を送信するための適当な装置を経て信号を送信する。図２において、トランシーバ装置がブロック２０６で概略的に示されている。トランシーバ装置２０６は、例えば、無線部及びそれに関連したアンテナ構成体により形成される。アンテナ構成体は、移動装置の内部に配置されてもよいし外部に配置されてもよい。
【０１０４】
ワイヤレス通信装置には、多入力／多出力（ＭＩＭＯ）アンテナシステムが設けられる。そのようなＭＩＭＯ構成体は、既に知られている。ＭＩＭＯシステムは、リンクのクオリティ及び容量を改善するために進歩型のデジタル信号処理と共に複数のアンテナを送信器及び受信器に使用する。図１及び２には示されていないが、例えば、ベースステーション及び移動ステーションに複数のアンテナを設けることができ、そして図２のトランシーバ装置２０６は、複数のアンテナポートを形成する。アンテナ素子が多い場合には、より多くのデータを受信及び／又は送信することができる。ステーションは、複数のアンテナのアレイを備えている。シグナリング及びミュートのパターンを、ＴＸアンテナ番号又はＭＩＭＯ構成体のポート番号に関連付けることができる。
【０１０５】
移動装置には、典型的に、少なくとも１つのデータ処理エンティティ２０１と、少なくとも１つのメモリ２０２と、アクセスシステム及び他の通信装置へのアクセス及びそれらとの通信の制御を含めて、遂行するべく設計されたタスクのソフトウェア及びハードウェア支援実行に使用するための他の考えられるコンポーネント２０３とが設けられる。データ処理、記憶及び他の当該コントロール装置は、適当な回路板及び／又はチップセットに設けられる。この特徴は、参照番号２０４で示されている。ユーザは、キーパッド２０５、ボイスコマンド、タッチ感知スクリーン又はパッド、その組み合わせ、等の適当なユーザインターフェイスにより、移動装置の動作をコントロールする。ディスプレイ２０８、スピーカ及びマイクロホンも設けられる。更に、移動通信装置は、他の装置への適当なコネクタ（ワイヤード又はワイヤレス）、及び／又は外部アクセサリ、例えば、ハンズフリー装置を接続するためのコネクタを備えている。
【０１０６】
図３は、例えば、結合すべき通信システムのための、及び／又はベースステーションのようなアクセスシステムのステーションをコントロールするための、コントロールシステムの一例を示す。ある実施形態では、ベースステーションは、個別のコントロール装置を備えている。他の実施形態では、コントロール装置は、無線ネットワークコントローラのような別のネットワーク要素である。ある実施形態では、各ベースステーションは、そのようなコントロール装置、及び無線ネットワークコントローラに設けられるコントロール装置を有する。コントロール装置１０９は、システムのサービスエリアにおける通信をコントロールするように構成される。コントロール装置１０９は、少なくとも１つのメモリ３０１、少なくとも１つのデータ処理ユニット３０２、３０３、及び入力／出力インターフェイス３０４を備えている。インターフェイスを経て、コントロール装置は、ベースステーションの受信器及び送信器に結合される。コントロール装置１０９は、コントロール機能を与える適当なソフトウェアコードを実行するように構成される。
【０１０７】
通信装置１０２、１０３、１０５は、コード分割多重アクセス（ＣＤＭＡ）又はワイドバンドＣＤＭＡ（ＷＣＤＭＡ（登録商標））のような種々のアクセス技術に基づいて通信システムにアクセスすることができる。他の例として、時分割多重アクセス（ＴＤＭＡ）、周波数分割多重アクセス（ＦＤＭＡ）、及びその種々のスキーム、例えば、インターリーブ型周波数分割多重アクセス（ＩＦＤＭＡ）、単一キャリア周波数分割多重アクセス（ＳＣ−ＦＤＭＡ）及び直交周波数分割多重アクセス（ＯＦＤＭＡ）、スペース分割多重アクセス（ＳＤＭＡ）、等が含まれる。
【０１０８】
ワイヤレス通信システムの一例は、第３世代パートナーシッププロジェクト（３ＧＰＰ）により標準化されたアーキテクチャーである。最新の３ＧＰＰベースの開発は、しばしば、ユニバーサル移動テレコミュニケーションシステム（ＵＭＴＳ）無線アクセス技術の長期進化（ＬＴＥ）と称される。３ＧＰＰ  ＬＴＥ仕様の種々の開発段階は、リリースと称される。ＬＴＥのより最近の開発は、しばしば、ＬＴＥアドバンスト（ＬＴＥ−Ａ）と称される。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型又はエンハンストノードＢ（ｅＮＢ）として知られており、通信装置に向かうユーザプレーン無線リンクコントロール／メディアアクセスコントロール／物理的レイヤプロトコル（ＲＬＣ／ＭＡＣ／ＰＨＹ）及びコントロールプレーン無線リソースコントロール（ＲＲＣ）プロトコルターミネーションのようなＥ−ＵＴＲＡＮ特徴を与える。無線アクセスシステムの他の例は、ワイヤレスローカルエリアネットワーク（ＷＬＡＮ）及び／又はＷｉＭａｘ（ワールドワイド・インターオペラビリティ・フォー・マイクロウェーブ・アクセス）のような技術に基づくシステムのベースステーションにより与えられるものを含む。
【０１０９】
３ＧＰＰリリース１２の一部分として、ＮＣＴ（新規キャリアタイプ）のワークアイテムが提案されそして合意されている。
【０１１０】
例えば、ベースステーション、関連コントローラ、及び移動装置において、エネルギーをできるだけ節約するために種々の仕方が提案されている。エネルギーを節約する１つの仕方は、送信及び／又は受信期間を最短にすることである。例えば、３ＧＰＰにおいて、できるだけ少数のＤＬサブフレームで送信をスケジューリングすることによりダウンリンク（ＤＬ）のｅＮｏｄｅＢエネルギーを最大にするための新規キャリアタイプ（ＮＣＴ）も提案されている。このように、残りのサブフレームが空（ブランク）に保たれ、ｅＮｏｄｅＢの送信器は、これらのサブフレームにおいて遮断されて、エネルギーを節約する。
【０１１１】
幾つかの実施形態は、例えば、小型セルの環境にＮＣＴのｅＮｏｄｅＢ（ｅＮＢ）休止特徴を使用することに関連している。一例として、小型セルは、ピコセル、ＨｅｔＮｅｔセル、等である。
【０１１２】
レガシーキャリアのための３ＧＰＰ規格のリリース８／９／１０による解決策は、全セルをランプダウンすることによりトラフィック変化に対する低速適応に基づきエネルギー節約を許す。しかしながら、セル／キャリアがトラフィックを搬送していなくても、移動をサポートするためには、ＰＤＣＣＨ（物理的ダウンリンクコントロールチャンネル）、ＰＨＩＣＨ（物理的ハイブリッドＡＲＱ（自動リピート要求）インジケータチャンネル）、ＰＣＦＩＣＨ（物理的コントロールフォーマットインジケータチャンネル）、ＰＳＳ／ＳＳＳ（一次同期信号／二次同期信号）、ＰＣＨ（ページングチャンネル）、ＰＢＣＨ（物理的ブロードキャストチャンネル）、ＳＩＢ（システム情報ブロック）、ＣＲＳ（共通基準信号）、及びＣＳＩ−ＲＳ（チャンネル状態情報基準信号）の１つ以上のような共通信号及びチャンネルを、ある周期で送信しなければならない。
【０１１３】
ある状態では、１つ以上の共通信号及びチャンネルが各サブフレームに存在し、ＤＬのデータトラフィックがなくてもｅＮｏｄｅＢ送信器をターンオフすることが困難である。それ故、最初はリリース１１でその後はリリース１２におけるＮＣＴのためのメインドライバの１つがｅＮＢエネルギー節約となる。
【０１１４】
ｅＮＢエネルギー節約を達成する１つの方法は、特定のセル／キャリアにおける共通信号及び／又はチャンネルの送信が、リリース１１のワークアイテム段階中に提案されて合意された４つのサブフレームより多数のサブフレームに対して保留されるｅＮＢ休止状態を導入することである。しかしながら、あるｅＮＢが休止状態にあることをユーザ装置が気付いたとしても、それらのユーザ装置は、休止状態にあるセルに同期し及び／又はそこでＲＲＭ（無線リソース管理）測定を遂行しようと試みて不必要な時間を依然消費する。この欠点は、不必要にＵＥが電力を消費し及び／又は測定が潜在的に不正確なことである。これは、ｅＮＢがいつ共通の信号を送信するか及び所与の時間に共通の信号を送信するかどうかＵＥが知らないためである。
【０１１５】
ｅＮＢが休止状態にある間に共通信号の送信に対してＤＴＸ（不連続送信）サイクルを導入することが提案されている。ｅＮＢが共通信号を送信するときにユーザ装置がそれに対応するキャリア周波数において同期されることを保証するには、ｅＮＢのＤＴＸ  ＯＮ周期を、ＵＥに与えられる測定ギャップと整列しなければならないことが提案されている。しかしながら、これは、例えば、非ＣＡケーパブルターミナルに対して測定ギャップが与えられる場合にしか適用できない。更に、ｅＮＢは、測定ギャップがｅＮＢ  ＤＴＸ  ＯＮ周期に一致するように測定ギャップを構成できるが、２つの連続するＤＴＸ  ＯＮ周期間のインターバルは、２つの連続する測定ギャップ間のインターバルより著しく長いことがある。それ故、ｅＮＢが休止状態にあるときにＵＥが同期及び／又は測定の遂行を試みるという状態が生じる。
【０１１６】
別の提案は、既存のマクロセルＤＬ信号と同期した状態で送信される小型セルのための直交発見信号を与えるものである。発見信号は、非常に高密度の展開において小型セルを発見する確率を改善するために直交される。この提案は、特定エリアの全てのセルが同期／発見信号を同時に送信することを要求する。
【０１１７】
ある実施形態は、キャリアアグリゲーションと共に使用される。例えば、ある実施形態は、インターサイトＣＡに関連して使用される。インターサイトキャリアアグリゲーションで構成されるときには、ユーザ装置は、通常、個別の周波数キャリアを経て２つ以上の非同一場所ｅＮＢに結合される。アンブレラセルｅＮＢは、一次セルＰＣｅｌｌをコントロールし、一方、小型セルｅＮＢは、１つ以上の二次セルＳＣｅｌｌをコントロールする。一次セルとは、ユーザ装置とパケットデータネットワークゲートウェイとの間にインターネットプロトコル導通性を確立して維持するために移動サポート及びセッション管理手順サポートのようなセキュリティコントロール及び非アクセス層（ＮＡＳ）情報をユーザ装置に与えるセルである。他のサービングセルは、二次サービングセルと称される。ＰＣｅｌｌは、マクロセルにより形成される。しかしながら、他の実施形態では、ＰＣｅｌｌは、他の適当なセルにより形成される。二次セルは、小型セル又は他の適当なセルにより形成される。
【０１１８】
それとは別に又はそれに加えて、基準信号送信の構成が例えばキャリアのアクチベーション状態に依存する自律ＵＥ移動を伴う幾つかの実施形態も使用される。
【０１１９】
幾つかの実施形態は、非キャリアアグリゲーション状態で使用される。例えば、セル間でインター周波数ハンドオーバーを行う小型セル移動を伴う幾つかの実施形態が使用される。
【０１２０】
それとは別に又はそれに加えて、他のタイプのキャリアアグリゲーションを伴う幾つかの実施形態も使用される。例えば、ＲＲＨ（リモート無線ヘッド）を使用するｈｅｔｎｅｔセルを伴い、１つ以上のキャリア（ＰＣｅｌｌを含む）がマクロセルから送信されそして１つ以上のキャリアが１つ以上の小型セル（１つ以上のＲＲＨ（リモート無線ヘッド）を使用して実現された）から送信される幾つかの実施形態が使用される。
【０１２１】
ある実施形態では、小型セルがＳＣｅｌｌとして構成されるか、或いはＵＥ自律移動に対して潜在的ターゲットセルとして構成されるときに、ＵＥには、ｅＮＢ休止状態に関する情報が与えられる。
【０１２２】
ＵＥは、次いで、ネットワークにおけるＵＥ振舞いに関するこの情報を適用する。ＵＥに与えられる情報は、次の１つ以上を含む。
●ｅＮＢ休止状態のＤＴＸ  ＯＮ周期がスタートするときのＳＦＮ（システムフレーム番号）オフセット（即ち、相対的ＳＦＮ）；
●ｅＮＢ休止状態のＤＴＸ  ＯＮ周期の期間；
●ｅＮＢ休止状態のＤＴＸ  ＯＦＦ周期の期間；
●ｅＮＢ休止状態のＤＴＸ  ＯＮ周期の周期性；
●ｅＮＢ休止状態のＤＴＸ  ＯＮ周期中のＣＲＳ（共通基準信号）／ＰＳＳ／ＳＳＳ／ＣＳＩ−ＲＳ（チャンネル状態情報基準信号）構成の１つ以上（ｅＮＢアクティブ状態の間の対応する構成から異なる場合）；
●ＰＣｅｌｌに対する相対的なタイミング情報。
【０１２３】
この情報は、一例に過ぎず、他の実施形態では、１つ以上の前記タイプの情報に代わって又はそれに加えて、１つ以上の異なるタイプの情報が使用されてもよいことが明らかである。
【０１２４】
規範的な実施形態を示す図４を参照する。この例では、ＳＦＮオフセットは、３つのサブフレームとしてセットされ、ＤＴＸ  ＯＮ期間＝２つのサブフレームであり、そしてＤＴＸ  ＯＮの周期性＝１０のサブフレームである。これらの値は、一例に過ぎず、当然、異なる実施形態及び／又は状況において異なる。更に、それとは別に、ＤＴＸ  ＯＮタイミングを、サブフレームではなく無線フレームに関して定義することができる。ＤＴＸ  ＯＮ周期がｅＮｏｄｅＢアクティブ周期内に入るときには、ｅＮｏｄｅＢアクティブ状態の間にとにかく送信されるものの他に、共通信号の付加的な送信はない。換言すれば、他の実施形態では、ｅＮｏｄｅＢがアクティブ状態にあるときに、「ＤＴＸ  ＯＮ」送信が省略される。
【０１２５】
図４に示す実施形態では、ｅＮＢは、サブフレーム０から７についてアクティブ状態にある。ｅＮＢは、次いで、サブフレーム８から２６について休止状態にある。ｅＮＢは、サブフレーム２７から３６まで再びアクティブな状態になり、そしてサブフレーム３７から４５まで休止状態となる。ＳＦＮオフセットは、３であるから、ＤＴＸ  ＯＮ期間は、サブフレーム３となる。ＤＴＸ  ＯＮ期間は、２であるから、ＤＴＸ  ＯＮ周期は、サブフレーム３及び４である。しかしながら、ｅＮＢは、アクティブ状態にあるから、付加的なＤＴＸ  ＯＮ送信はない。
【０１２６】
ＤＴＸ  ＯＮ周期は、１０であるから、次のＤＴＸ  ＯＮ期間は、サブフレーム１３及び１４となる。このケースでは、ｅＮＢは、休止状態にあり、従って、基準信号／基準チャンネルの１つ以上がこれらのサブフレームにおいて送信される。同様に、次のＤＴＸ  ＯＮ周期、サブフレーム２３及び２４では、ｅＮＢが再び休止状態となる。
【０１２７】
次のＤＴＸ  ＯＮ周期、サブフレーム３３及び３４については、ｅＮＢがアクティブであり、従って、振舞いは、サブフレーム３及び４に関して設定され、等々となる。
【０１２８】
ある実施形態では、ｅＮＢは、特別に構成されたＳＣｅｌｌ／ターゲットセルに対する休止状態の開始及び終了をＵＥへシグナリングする。このシグナリングｅＮＢは、ＳＣｅｌｌ又はＰＣｅｌｌ  ｅＮＢである。ある実施形態では、ＳＣｅｌｌの休止状態の開始／終了は、オーバーレイマクロセル、例えば、ＰＣｅｌｌから送信される。
【０１２９】
インターサイトＣＡに関連して幾つかの実施形態を説明するが、上述したように、他の実施形態を他の構成へと拡張することができる。
【０１３０】
方法の流れを示す図５を参照する。ステップＳ１において、休止情報を伴うメッセージがｅＮＢにおいて準備される。ある実施形態では、このメッセージは、ＰＣｅｌｌ又はマクロセル（休止周期を有するベースステーション又はセルとは異なる）において準備される。ある実施形態では、このメッセージは、休止周期を有するセルにおいて準備される。又、このメッセージは、任意の適当な休止情報を有してもよい。
【０１３１】
１つの実施形態において、休止情報は、ＳＦＮオフセット（及びサブフレーム又は無線フレームオフセット）と、ｅＮＢ休止状態中のＤＴＸ  ＯＮ周期の長さ及び周期性とを含む。休止メッセージは、ｅＮＢ休止状態のＤＴＸ  ＯＮ周期中に使用されるＣＲＳ／ＰＳＳ／ＳＳＳ／ＣＳＩ−ＲＳ構成についての情報を含む（ｅＮＢアクティブ状態中に使用される構成とは異なる場合）。
【０１３２】
ステップＳ２において、このメッセージは、ＵＥに送られる。このメッセージは、例えば、ＵＥがマクロセル（ＰＣｅｌｌ）のカバレージエリアに入り、そして小型セル（ＳＣｅｌｌ）の数がそれに対応するカバレージエリアの独立キャリア周波数において展開されるときＵＥへ送信されるＳＣｅｌｌ構成メッセージ（ＲＲＣ無線リソースコントロール）の一部分としてシグナリングされる。
【０１３３】
それとは別に又はそれに加えて、この休止情報は、所与の小型セルに対応する測定対象を構成するときにＵＥに与えられる。これは、例えば、３ＧＰＰ  ＴＳ３６．３３１、セクション５．５．１に述べられている。ＵＥは、インター周波数測定、イントラ周波数測定、及びインターＲＡＴ（無線アクセス技術）測定を遂行することが要求される。測定対象は、例えば、所与の周波数、セルオフセットのリスト及び／又はブラックリストセルのセットを伴う所与の周波数、所与の周波数におけるセルのセット、キャリア周波数のセット、キャリア周波数におけるセルのセットである。
【０１３４】
それとは別に又はそれに加えて、自律的ＵＥ移動に対して構成されたターゲットセルのリストに所与の小型セルが追加されるとき休止情報がＵＥに与えられる。自律的ＵＥ移動は、ＵＥがそれ自身で移動を判断できる場合である。
【０１３５】
ステップＳ３において、ユーザ装置は、休止情報を使用して、休止又は潜在的に休止のｅＮＢの監視をコントロールする。特に、休止メッセージに含まれる情報は、ｅＮＢが休止状態にあるときにどの１つ以上のサブフレームを監視すべきかユーザ装置が有効に決定できるようにする。監視されるサブフレームは、休止のｅＮＢにより送信される基準信号及び／又は基準チャンネルを含む。
【０１３６】
ターミナルにおけるセルサーチ及びＲＲＭ測定手順を最適化するために、ＵＥには、各構成されたＳＣｅｌｌ／ターゲットセルの現在状態、即ちセルが休止状態であるかアクティブ状態であるか通知される。この情報は、次の１つ以上である。
ＵＥ  ＰＣｅｌｌ（即ち、オーバーレイマクロセル）に対応するセルによるブロードキャスト；
専用シグナリング（ＲＲＣ又はＭＡＣ（メディアアクセスコントロール））を経てＵＥへの送信；及び
ＵＥ  ＳＣｅｌｌ（即ち、対応小型セル）に対応するセルによるブロードキャスト。
【０１３７】
ＵＥ  ＰＣｅｌｌに対応するセルを経てのブロードキャストと、ＵＥ  ＳＣｅｌｌに対応するセルを経てのブロードキャストとの相違は、インターサイトＣＡ特有観点である。（ＰＣｅｌｌ及びＳＣｅｌｌが同じ場所にある場合は、情報がＰＣｅｌｌを経てブロードキャストされるかＳＣｅｌｌを経てブロードキャストされるかに関してあまり差がない。）又、これは、自律的ＵＥ移動のケースにも適用されるが、従来のＣＡでも必ずしも問題にならない（特に、ＰＣｅｌｌ及びＳＣｅｌｌが同じ場所にある場合）。
【０１３８】
又、利用できる１対多のシグナリングメカニズムのいずれかを使用してブロードキャスティングが行われる。例えば、次のブロードキャスティングメカニズムの１つ以上が使用される。即ち、ＰＢＣＨ、ＭＩＢ（マスター情報ブロック）、ＳＩＢ、或いはＰＤＣＣＨ（対応セルに同期できる全てのＵＥに送信される共通ＭＡＣ（メディアアクセスコントロール）メッセージ）。それとは別に又はそれに加えて、他の適当なブロードキャスティングメカニズムが使用されることが明らかである。
【０１３９】
ブロードキャスティングの１つの利点は、シグナリングオーバーヘッドが低いことである。対応する小型セルからのブロードキャスト情報は、広告「未来志向(future intent)」の形態をとることができ、接続された全てのＵＥ及びＩＤＬＥモードのＵＥがこの情報を有するようにする。
【０１４０】
オーバーレイマクロセルを経てのブロードキャスティングは、Ｘ２（ｅＮＢ間のインターフェイス）を経てｅＮＢ状態変化をシグナリングし且つマクロセルから送信されるブロードキャストメッセージにセル特有の識別子を含ませる必要があるために、対応する小型セルを経てのブロードキャスティングに比して付加的なオーバーヘッドをもたらす。しかしながら、オーバーレイマクロセルを経てのブロードキャスティングは、マクロセルカバレージエリア内の全てのＵＥに、対応するカバレージエリア内の小型セルの状態変化が同時に通知されるという点で効果がある。対応する小型セルを経てのブロードキャスティングとは、ＵＥが同期可能な小型セルの状態しか知り得ないことを意味する。従って、ある実施形態は、マクロセルによるブロードキャスティングを使用し、そしてある実施形態は、小型セルによるブロードキャスティングを使用する。ある実施形態では、マクロセルによるブロードキャスティング及び小型セルによるブロードキャスティングが両方とも使用される。
【０１４１】
それとは別に又はそれに加えて、関心のあるＵＥに特定の小型セルの状態変化をシグナリングできる専用シグナリング（ＲＲＣ又はＭＡＣ）もある。専用シグナリングの１つの効果は、信頼性が高いことである。
【０１４２】
別の実施形態では、休止情報（例えば、ＳＦＮ及びサブフレームオフセット、ｅＮＢ休止状態中のＤＴＸ  ＯＮ周期の長さ及び周期性、及び／又はｅＮＢ休止状態のＤＴＸ  ＯＮ周期中に使用されるＣＲＳ／ＰＳＳ／ＳＳＳ／ＣＳＩ−ＲＳ構成）がオーバーレイマクロセルからブロードキャストされる。
【０１４３】
ＬＴＥ規格のリリース及び／又は他の規格による実施形態も使用することができる。
【０１４４】
ある実施形態では、ユーザ装置は、低アクティブモードにあるときに、第１セルからの基準情報の送信に関連したタイミング情報を受信するように構成される。この低アクティブモードは、上述したように休止モードである。或いは又、低アクティブモードは、第１セルが完全動作又は通常動作であるときより低い頻度で基準情報が送信されるモードである。
【０１４５】
この第１セルは、上述したように小型セルである。小型又はより小さいセルは、ピコセル、フェムトセル、ＨｅｔＮｅｔセル、又はマクロセルに関連して配備される小さなセルである。
【０１４６】
このタイミング情報を使用して、第１セルからの送信を基準情報に対していつ監視するかコントロールすることができる。
【０１４７】
先に述べた実施形態では、タイミング情報の特定例が示された。しかしながら、それとは別に又はそれに加えて、タイミング情報は、基準情報送信の期間、基準情報送信の周期性、及び基準情報送信のスタートを示すスタート情報、の少なくとも１つを指示することが明らかであろう。
【０１４８】
ある実施形態では、基準情報をいつ送信するかの情報に代わって又はそれが与えられるのに代わって、ユーザ装置には、基準情報に対してユーザ装置が監視してはならないときを指示する情報が与えられることが明らかであろう。
【０１４９】
ユーザ装置は、別のセルに対する小型セルの相対的なタイミングを示す情報を受信する。その別のセルは、例えば、ある実施形態では、ＰＣｅｌｌである。
【０１５０】
スタート情報がオフセットである場合に、これは、第１セルにおけるタイミングのスタート点に関する情報をユーザ装置に与える。当然、ある実施形態では、セルが同期され、従って、相対的なタイミングは要求されない。しかしながら、セルが同期されないシステムでは、これは、ユーザ装置が第１セルのタイミングを決定することで時間を費やすことを回避する。当然、ある実施形態では、ユーザ装置は、それが第１セルのタイミング情報を得るまで第１セルを監視する。
【０１５１】
ある実施形態では、ＵＥは、相対的なタイミング情報を受信する。これは、ＵＥが休止セルのタイミングを決定できるようにする。これは、別のセルに対する休止セルの相対的なタイミング、グローバルなタイミング基準に対する休止セルの相対的なタイミング、及び／又は休止セルのタイミングに対する相対的なタイミングに関する情報を与える。
【０１５２】
オフセットは、あるタイプのスタート情報の一例である。他の実施形態は、他の適当なスタート情報を使用する。
【０１５３】
オフセット情報又はスタート情報は、サブフレーム及び／又は無線フレーム及び／又は時間に関して定義される。
【０１５４】
情報は、ＤＴＸモードがオンであり及び／又はＤＴＸモードがオフであることに関して与えられる。
【０１５５】
ＤＴＸモードは、インアクティブ又は低アクティブモードの一例である。別の実施形態は、他の適当なインアクティブ又は低アクティブモードで使用される。
【０１５６】
ある実施形態では、セルについて説明する。ある実施形態では、ネットワークノードによって教示が代替的に適用される。ネットワークノードは、ベースステーション、等である。
【０１５７】
ある実施形態では、ユーザ装置は、第１セルが低アクティブモードにあるときを指示するモード情報を受信する。この情報は、直接的に与えられてもよいし又は間接的に与えられてもよい。例えば、第１セルの状態が低アクティブモードに切り換わるときモード情報が与えられる。しかしながら、ある実施形態では、ユーザ装置は、第１セルがアクティブモードにあることを示す情報をユーザ装置が受信しない限り、第１セルが低アクティブモードにあると仮定する。当然、ある実施形態では、ユーザ装置は、アクティブモードがスタートするとき及びアクティブモードが終了するときを示す情報を受信する。
【０１５８】
基準情報が送信されるときに関する情報が与えられる。それとは別に又はそれに加えて、基準情報が送信されないときに関する情報も与えられる。
【０１５９】
タイミング情報、相対的なタイミング情報及び／又は受信モード情報のような情報が、第１セル及び／又は別のセルから与えられる。
【０１６０】
上述した異なるタイプの情報を１つ以上受信することは、インターサイトＣＡで、第１セルがＳＣｅｌｌとして構成されるとき（これは、ユーザ装置がそれに対応するアンブレラマクロセルｅＮＢのカバレージエリアに入るときに起きる）、第１セルがＵＥ自律移動のためにターゲットセルのリストに丁度追加されるとき、及び／又は第１セルに関連した測定対象がユーザ装置に与えられるときに生じる。
【０１６１】
先の例において、基準情報は、ＣＲＳ／ＰＳＳ／ＳＳＳ／ＣＳＩ−ＲＳを含む。しかしながら、これは、一例に過ぎず、異なる実施形態では、付加的な又は代替的な基準情報を使用することが明らかである。基準情報は、基準信号（１つ又は複数）及び／又は基準チャンネル（１つ又は複数）を含む。
【０１６２】
特定の構成について説明した。ある実施形態は、他の構成にも適用できる。
【０１６３】
種々のチャンネルについて説明した。他の実施形態では、他のチャンネルが使用できることが明らかである。
【０１６４】
以上の実施形態は、ＬＴＥに関連して述べたが、他の通信システム或いはＬＴＥを伴う更なる開発にも同様の原理を適用できることに注意されたい。従って、以上の実施形態は、アップリンク及びダウンリンクを参照して述べたが、この開示は、ベースステーションとユーザターミナルとの間のそれらの方向により限定されるものではない。むしろ、ある実施形態は、２つ以上の通信エンティティ間で送信を行う任意のシステムに適用することができる。例えば、アドホックネットワークにおいて複数のユーザ装置により通信システムが形成される。それ故、ある実施形態は、例えば、ワイヤレスネットワーク、技術及び規格に対する幾つかの規範的アーキテクチャーを参照して上述したが、それらの実施形態は、図示して説明した以外の他の適当な形態の通信システムにも適用できる。
【０１６５】
ベースステーション装置、通信装置、及び他の適当な装置の必要なデータ処理装置及び機能は、１つ以上のデータプロセッサにより与えられる。各端におけるここに述べる機能は、個別のプロセッサ又は一体型プロセッサによって与えられる。データプロセッサは、ローカル技術環境に適した任意のタイプのものであり、汎用コンピュータ、特殊目的コンピュータ、マイクロプロセッサ、デジタル信号プロセッサ（ＤＳＰ）、特定用途向け集積回路（ＡＳＩＣ）、ゲートレベル回路、及びマルチコアプロセッサアーキテクチャーに基づくプロセッサ、の１つ以上を非限定例として含む。データ処理は、多数のデータ処理モジュールにわたって分散される。データプロセッサは、例えば、少なくとも１つのチップにより形成される。又、当該装置には適当なメモリ容量も設けられる。メモリ（１つ又は複数）は、ローカル技術環境に適した任意のタイプのものであり、半導体ベースのメモリ装置、磁気メモリ装置及びシステム、光学的メモリ装置及びシステム、固定メモリ及び取り外し可能なメモリのような適当なデータ記憶技術を使用して実施される。
【０１６６】
一般的に、種々の実施形態は、ハードウェア又は特殊目的回路、ソフトウェア、ロジック又はその組み合わせで具現化される。本発明のある観点は、ハードウェアで実施され、一方、他の観点は、コントローラ、マイクロプロセッサ又は他のコンピューティング装置により実行されるファームウェア又はソフトウェアで実施されるが、本発明は、これに限定されない。本発明の種々の観点は、ブロック図、フローチャートとして、又は他の絵画的表現を使用して、図示して説明したが、ここに述べるこれらのブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその何らかの組み合わせで実施できることを理解されたい。ソフトウェアは、メモリチップのような物理的媒体、又はプロセッサ内に実施されるメモリブロック、ハードディスク又はフロッピー（登録商標）ディスクのような磁気媒体、及び例えば、ＤＶＤやそのデータ変形体であるＣＤのような光学的媒体に記憶される。
【０１６７】
以上の説明は、本発明の規範的実施形態の完全且つ知識的な説明を一例及び非限定例としてなすものである。しかしながら、当業者であれば、以上の説明を添付図面及び特許請求の範囲に関連した読んだときに種々の変更や適応が明らかとなるであろう。しかしながら、本発明の教示のそのような同様の変更は、全て、特許請求の範囲に規定された本発明の範囲内に包含される。実際に、上述した他の実施形態の１つ以上の組み合わせより成る更に別の実施形態も考えられる。
【符号の説明】
【０１６８】
１００、１１０：セルラーシステム
１０２、１０３、１０５：移動通信装置又はユーザ装置（ＵＥ）
１０６、１０７、１１６、１１８、１２０：ベースステーション
１０８、１０９：コントロール装置
１１１、１１２：ゲートウェイ
１１３：通信ネットワーク
１１５、１１７、１１９：小さな無線サービスエリア
１１６、１１８、１２０：小型ステーション
２０１：データ処理エンティティ
２０２：メモリ
２０３：他のコンポーネント
２０５：キーパッド
２０６：トランシーバ装置
２０７：エアインターフェイス
２０８：ディスプレイ
３０１：メモリ
３０２、３０３：データ処理ユニット
３０４：入力／出力インターフェイス
【図１】
2015537456.tif 000003
【図２】
2015537456.tif 000004
【図３】
2015537456.tif 000005
【図５】
2015537456.tif 000006
【図４】
2015537456.tif 000007
【国際調査報告】
2015537456.tif 000008
2015537456.tif 000009
2015537456.tif 000010